(57)【要約】本明細書は、協調型マルチアンテナ送受信システムにおいて、協調型マルチアンテナ送受信サービスのための専用の群特異的情報を送受信する方法を開示する。本明細書は、協調型マルチアンテナ送受信システムのための基地局の群特異的情報の構成及び転送に関するスキームと、前記構成された協調型マルチアンテナ送受信システムのためのユーザ端末の群特異的情報を用いてアップリンク基準信号を転送するスキームを開示している。ここで、前記群特異的情報は、セル内の端末装置の一部またはユーザ端末の特性によって変化する場合、ＵＥ−特異的である。
2013502806.tif 000002
【特許請求の範囲】
【請求項１】
マルチアンテナ送受信システムにおける基地局による群特異的情報を転送する方法であって、
２つ以上の基地局と送受信できる協調型マルチアンテナサービスを受ける端末が位置したセルと前記協調型マルチアンテナサービスを受けない端末が位置したセルとを区分することと、
前記協調型マルチアンテナサービスを受ける端末が位置したセルと前記協調型マルチアンテナサービスを受けない端末が位置したセルの各々が、互いに異なるコードで区別された相異する群特異的情報を該当セルに位置した端末に転送することと、
を含むことを特徴とする、基地局による群特異的情報の転送方法。
【請求項２】
前記協調型マルチアンテナサービスを受ける端末が位置したセルと前記協調型マルチアンテナサービスを受けない端末が位置したセルの各々が、互いに異なる時間で区別された相異する群特異的情報を該当セルに位置した端末に転送することを更に含むことを特徴とする、請求項１に記載の基地局による群特異的情報の転送方法。
【請求項３】
前記協調型マルチアンテナサービスを受ける端末が位置したセルと前記協調型マルチアンテナサービスを受けない端末が位置したセルの各々が、互いに異なる周波数で区別された相異する群特異的情報を該当セルに位置した端末に転送することを更に含むことを特徴とする、請求項１に記載の基地局による群特異的情報の転送方法。
【請求項４】
前記協調型マルチアンテナサービスを受ける端末を含む第１リストと前記協調型マルチアンテナサービスを受けない端末を含む第２リストとを区別して生成することを更に含むことを特徴とする、請求項１に記載の基地局による群特異的情報の転送方法。
【請求項５】
前記群特異的情報は、
アップリンク基準信号のパラメータを含むことを特徴とする、請求項１に記載の基地局の群特異的情報の転送方法。
【請求項６】
前記アップリンク基準信号のパラメータは、
前記アップリンク基準信号を転送するための周波数帯域、周期、サブフレーム構成（subframe configuration）のうち、少なくとも１つを含むことを特徴とする、請求項５に記載の基地局による群特異的情報の転送方法。
【請求項７】
前記アップリンク基準信号のパラメータは、
前記協調型マルチアンテナサービスを受ける端末が位置したセルと前記協調型マルチアンテナサービスを受けない端末が位置したセルに対応する独立的な時間またはコードにより前記アップリンク基準信号の生成を可能にする群特異的情報であることを特徴とする、請求項５に記載の基地局による群特異的情報の転送方法。
【請求項８】
前記２つ以上の基地局のうちの少なくとも１つは、中継を更に含むものであることを特徴とする、請求項１に記載の基地局による群特異的情報の転送方法。
【請求項９】
前記中継は、
物理セル識別情報（ＩＤ）を有し、同期チャンネル、基準シンボル、または基準信号を転送することを特徴とする、請求項８に記載の基地局による群特異的情報の転送方法。
【請求項１０】
前記基地局が、
前記協調型マルチアンテナサービスを受ける端末を含む第１リストと前記協調型マルチアンテナサービスを受けない端末を含む第２リストに対応して相互間で独立した群特異的パラメータを生成することを更に含むことを特徴とする、請求項４に記載の基地局による群特異的情報の転送方法。
【請求項１１】
前記基地局が、
前記協調型マルチアンテナサービスを受ける端末を含む第１リストと前記協調型マルチアンテナサービスを受けない端末を含む第２リストに対応して生成された相互間で独立した群特異的パラメータを、前記第１リストに含まれている端末と前記第２リストに含まれている端末に各々転送することを更に含むことを特徴とする、請求項１０に記載の基地局による群特異的情報の転送方法。
【請求項１２】
マルチアンテナ送受信システムであって、
２つ以上の基地局と送受信できる協調型マルチアンテナサービスを受ける端末が位置したセルと前記協調型マルチアンテナサービスを受けない端末が位置したセルとを区分し、前記協調型マルチアンテナサービスを受けない端末と互いに異なるコードで区別された相異する群特異的情報を前記協調型マルチアンテナサービスを受ける端末に転送するサービング基地局と、
前記相異する群特異的情報によって定まる特定サブフレームで予め定められた帯域を通じてアップリンク基準信号を前記サービング基地局に転送する前記協調型マルチアンテナサービスを受ける端末と、
を含むことを特徴とする、マルチアンテナ送受信システム。
【請求項１３】
前記協調型マルチアンテナサービスを受ける端末は、
前記サービング基地局から転送された前記相異する群特異的情報を確認し、
前記確認された前記相異する群特異的情報に従って前記協調型マルチアンテナサービスを受けない端末により転送されるアップリンク基準信号とは区別される独立される時間またはコードを用いて前記アップリンク基準信号を生成することを特徴とする、請求項１２に記載のマルチアンテナ送受信システム。
【請求項１４】
マルチアンテナ送受信システムにおけるユーザ端末が基地局の群特異的情報を受信する方法であって、
２つ以上の基地局と送受信できる協調型マルチアンテナサービスを受ける第１ユーザ端末が基地局から群特異的情報を受信することと、
前記第１ユーザ端末が前記群特異的情報を用いてアップリンク基準信号を生成して送信することと、を含み、
前記第１ユーザ端末が受信した前記群特異的情報は、前記協調型マルチアンテナサービスを受けない第２ユーザ端末が受信する情報と区別されることを特徴とする、ユーザ端末による群特異的情報の受信方法。
【請求項１５】
前記第１ユーザ端末が受信した前記群特異的情報は、前記協調型マルチアンテナサービスを受けない第２ユーザ端末が受信する情報と互いに異なる時間で区別されることを特徴とする、請求項１４に記載のユーザ端末による群特異的情報の受信方法。
【請求項１６】
前記第１ユーザ端末が受信した前記群特異的情報は、前記協調型マルチアンテナサービスを受けない第２ユーザ端末が受信する情報と互いに異なる時間で区別されることを特徴とする、請求項１４に記載のユーザ端末による群特異的情報の受信方法。
【請求項１７】
前記第１ユーザ端末が受信した前記群特異的情報は、前記協調型マルチアンテナサービスを受けない第２ユーザ端末が受信する情報と互いに異なる周波数で区別されることを特徴とする、請求項１４に記載のユーザ端末による群特異的情報の受信方法。
【請求項１８】
前記第１ユーザ端末が含まれたリストと前記第２ユーザ端末が含まれたリストは、互いに相異することを特徴とする、請求項１４に記載のユーザ端末による群特異的情報の受信方法。
【請求項１９】
前記群特異的情報は、
アップリンク基準信号のパラメータを含むことを特徴とする、請求項１４に記載のユーザ端末による群特異的情報の受信方法。
【請求項２０】
前記アップリンク基準信号のパラメータは、
前記アップリンク基準信号を転送するための周波数帯域、周期、サブフレーム構成（subframe configuration）のうち、少なくとも１つを含むことを特徴とする、請求項１９に記載のユーザ端末による群特異的情報の受信方法。
【請求項２１】
前記アップリンク基準信号のパラメータは、
前記協調型マルチアンテナサービスを受ける第１ユーザ端末が位置したセルと前記協調型マルチアンテナサービスを受けない第２ユーザ端末が位置したセルに対応して独立的な時間またはコードにより前記アップリンク基準信号の生成を可能にする群特異的情報であることを特徴とする、請求項１９に記載のユーザ端末による群特異的情報の受信方法。
【請求項２２】
前記２つ以上の基地局のうちの少なくとも１つは、中継を更に含むものであることを特徴とする、請求項１４に記載のユーザ端末による群特異的情報の受信方法。
【請求項２３】
前記中継は、
物理セル識別情報（ＩＤ）を有し、同期チャンネル、基準シンボル、または基準信号を転送することを特徴とする、請求項２２に記載のユーザ端末による群特異的情報の受信方法。
【請求項２４】
前記協調型マルチアンテナサービスを受ける第１ユーザ端末を含むリストは、前記協調型マルチアンテナサービスを受けない第２ユーザ端末を含む一般リストに割り当てられる群特異的パラメータに対して相互間で独立した群特異的パラメータが割り当てられることを特徴とする、請求項１９に記載のユーザ端末による群特異的情報の受信方法。
【請求項２５】
前記協調型マルチアンテナサービスを受ける第１ユーザ端末を含むリストと前記協調型マルチアンテナサービスを受けない第２ユーザ端末を含む一般リストに対応して生成された相互間で独立した群特異的パラメータを、前記第１ユーザ端末が前記基地局から受信することを更に含むことを特徴とする、請求項２４に記載のユーザ端末による群特異的情報の受信方法。
【請求項２６】
多数のユーザ端末とデータを送受信する第１基地局とデータを送受信する第１ユーザ端末が送信する基準信号の生成に必要とされる第１パラメータを前記第１基地局が前記第１ユーザ端末に送信することと、
前記第１基地局及び第２基地局とデータを送受信する第２ユーザ端末が送信する基準信号の生成に必要とされる第２パラメータを前記第１基地局が前記第２ユーザ端末に送信することと、
前記第１パラメータに基づいて生成された第１基準信号を前記第１基地局が前記第１ユーザ端末から受信することと、
前記第２パラメータに基づいて生成され、前記第１基準信号と相異する第２基準信号を前記第１基地局が前記第２ユーザ端末から受信することと、
を含むことを特徴とする、協調型マルチアンテナ送受信システムにおけるパラメータの転送方法。
【請求項２７】
前記第１基地局が前記第２基地局から前記第２パラメータを決定するために必要な情報を受信することと、
前記第１基地局が前記第２基地局に前記第２パラメータを送信することと、を更に含むことを特徴とする、請求項２６に記載の協調型マルチアンテナ送受信システムにおけるパラメータの転送方法。
【請求項２８】
前記第２基地局から受信した前記第２パラメータを決定するために必要な情報は、第３ユーザ端末が基準信号の生成に必要とするパラメータ情報を含み、
前記第３ユーザ端末は、前記第２基地局とデータを送受信し、前記第１基地局とはデータを送受信しないことを特徴とする、請求項２７に記載の協調型マルチアンテナ送受信システムにおけるパラメータの転送方法。
【請求項２９】
前記第１基地局及び前記第２基地局は、マルチポイント協力型送受信システムを構成することを特徴とする、請求項２６に記載の協調型マルチアンテナ送受信システムにおけるパラメータの転送方法。
【請求項３０】
前記第１基準信号と前記第２基準信号は、コード、周波数、時間のうち、いずれか１つ以上が相異することを特徴とする、請求項２６に記載の協調型マルチアンテナ送受信システムにおけるパラメータの転送方法。
【請求項３１】
前記第１パラメータと前記第２パラメータは、各々互いに異なるコード資源グループに含まれることを特徴とする、請求項２６に記載の協調型マルチアンテナ送受信システムにおけるパラメータの転送方法。
【請求項３２】
前記第２ユーザ端末が送信する第２基準信号は第３ユーザ端末が送信する第３基準信号と相異しており、
前記第３ユーザ端末は前記第２基地局とデータを送受信し、前記第１基地局とはデータを送受信しないことを特徴とする、請求項２６に記載の協調型マルチアンテナ送受信システムにおけるパラメータの転送方法。
【請求項３３】
前記第３基準信号は、前記第２パラメータと相異する第３パラメータに基づいて生成されたことを特徴とする、請求項３２に記載の協調型マルチアンテナ送受信システムにおけるパラメータの転送方法。
【請求項３４】
前記第１基地局または前記第２基地局は中継であることを特徴とする、請求項２６に記載の協調型マルチアンテナ送受信システムにおけるパラメータの転送方法。
【請求項３５】
第１基地局が基準信号の生成に必要な第１パラメータを前記第１基地局から受信することと、
前記第１パラメータに基づいて生成された第１基準信号を生成して送信することと、
前記第１基地局及び第２基地局とデータを送受信するために、前記第１パラメータと相異する第２パラメータを前記第１基地局または前記第２基地局から受信することと、
前記第２パラメータに基づいて第２基準信号を生成して送信することと、
を含むことを特徴とする、１つ以上の基地局とデータの送受信を行うユーザ端末によって協調型マルチアンテナ送受信システムにおける基準信号を送信する方法。
【請求項３６】
前記第１基地局及び前記第２基地局は、マルチポイント協力型送受信システムを構成することを特徴とする、請求項３５に記載の協調型マルチアンテナ送受信システムにおける基準信号を送信する方法。
【請求項３７】
前記第１基準信号と前記第２基準信号は、コード、周波数、時間のうち、いずれか１つ以上が相異することを特徴とする、請求項３５に記載の協調型マルチアンテナ送受信システムにおける基準信号を送信する方法。
【請求項３８】
前記第１パラメータと前記第２パラメータは、各々互いに相異するコード資源グループに含まれることを特徴とする、請求項３５に記載の協調型マルチアンテナ送受信システムにおける基準信号を送信する方法。
【請求項３９】
前記第１基地局または前記第２基地局は中継であることを特徴とする、請求項３５に記載の協調型マルチアンテナ送受信システムにおける基準信号を送信する方法。
【請求項４０】
基準信号の生成に必要とされる第１パラメータを第１基地局または第２基地局から受信することと、
前記第１パラメータに基づいて生成された第１基準信号を生成して送信することと、
前記第１基地局及び前記第２基地局とデータを送受信することと、
前記第１基地局から前記第１パラメータと相異する第２パラメータを受信することと、
前記第２パラメータに基づいて第２基準信号を生成して送信することと、
を含むことを特徴とする、協調型マルチアンテナ送受信システムにおける基準信号を送信する方法。
【請求項４１】
前記第１パラメータを使用して生成された第１基準信号を生成して送信すること以後に、
前記第２基地局とのデータの送受信を中断することを更に含むことを特徴とする、請求項４０に記載の協調型マルチアンテナ送受信システムにおける基準信号を送信する方法。
【請求項４２】
前記第１基地局及び前記第２基地局は、マルチポイント協力型送受信システムを構成することを特徴とする、請求項４０に記載の協調型マルチアンテナ送受信システムにおける基準信号を送信する方法。
【請求項４３】
前記第１基準信号と前記第２基準信号は、コード、周波数、時間のうち、いずれか１つ以上が相異することを特徴とする、請求項４０に記載の協調型マルチアンテナ送受信システムにおける基準信号を送信する方法。
【請求項４４】
前記第１パラメータと前記第２パラメータは、各々互いに相異するコード資源グループに含まれることを特徴とする、請求項４０に記載の協調型マルチアンテナ送受信システムにおける基準信号を送信する方法。
【請求項４５】
前記第１基地局または前記第２基地局は中継であることを特徴とする、請求項４０に記載の協調型マルチアンテナ送受信システムにおける基準信号を送信する方法。
【請求項４６】
第１ユーザ端末、第２ユーザ端末が送信する基準信号の生成に必要とされる第１パラメータを第１基地局が前記第１ユーザ端末及び前記第２ユーザ端末に送信することと、
前記第１ユーザ端末が協調型マルチアンテナ送受信サービスを受けることを前記第１基地局が感知することと、
前記第２ユーザ端末が送信する基準信号の生成に必要とされる第２パラメータを第１基地局が前記第２ユーザ端末に送信することと、
前記第１パラメータに基づいて生成された第１基準信号を第１基地局が前記第１ユーザ端末から受信することと、
前記第２パラメータに基づいて生成され、前記第１基準信号と相異する第２基準信号を前記第１基地局が前記第２ユーザ端末から受信することと、
を含むことを特徴とする、協調型マルチアンテナ送受信システムにおけるパラメータの転送方法。
【発明の詳細な説明】
【技術分野】
【０００１】
本発明は、無線通信システムに関し、特に、協調型マルチアンテナ送受信システムにおける協調型マルチアンテナ送受信サービスのための情報を送受信する方法及びシステムを開示している。
【背景技術】
【０００２】
通信システムが発展するにつれて、事業体及び個人などの消費者は非常に多様な無線端末機を使用するようになった。
【０００３】
したがって、通信サービス事業者は、無線端末機に対する新たな通信サービス市場を創出し、高い信頼性を有しかつ低廉なサービスを提供して、既存の通信サービス市場を拡大させようとする試みを続けている。
【発明の概要】
【発明が解決しようとする課題】
【０００４】
本発明は、上記問題の観点においてなされたものであって、本発明は、協調型マルチアンテナ送受信システムにおけるアップリンク基準信号の送信時に、隣接セルとの干渉を除去し、協調型マルチアンテナ送受信サービスを受けない他のユーザの性能低下を予防するアップリンク基準信号の送信方法及びシステムを開示している。
【０００５】
また、本発明は、無線通信システムにおける協調型マルチアンテナ送受信サービスのための群特異的情報を転送する方法及びシステムを提供する。
【０００６】
また、本発明は、協調型マルチアンテナ送受信システムにおける基地局の協調型マルチアンテナ送受信サービスのための群特異的情報を構成する方法及びシステムを提供する。
【０００７】
また、本発明は、協調型マルチアンテナ送受信システムにおける基地局の協調型マルチアンテナ送受信サービスのための群特異的情報を転送する方法及びシステムを提供する。
【０００８】
また、本発明は、協調型マルチアンテナ送受信システムにおける端末の協調型マルチアンテナ送受信サービスのための群特異的情報を受信する方法及びシステムを提供する。
【０００９】
また、本発明は、協調型マルチアンテナ送受信システムにおける端末の協調型マルチアンテナ送受信サービスのためのアップリンク基準信号を転送する方法及びシステムを提供する。
【００１０】
また、本発明は、協調型マルチアンテナ送受信システムにおける基地局の協調型マルチアンテナ送受信サービスのための群特異的情報と一般サービスを支援する群特異的情報とを区別して構成する方法及びシステムを提供する。
【課題を解決するための手段】
【００１１】
前述した課題を達成するために本発明の一実施形態による基地局の群特異的情報の転送方法は、マルチアンテナ送受信システムにおける基地局の群特異的情報を転送する方法であって、２つ以上の基地局と送受信できる協調型マルチアンテナサービスを受ける端末が位置したセルと上記協調型マルチアンテナサービスを受けない他の端末が位置したセルを区分すること、上記協調型マルチアンテナサービスを受ける端末が位置したセルと上記協調型マルチアンテナサービスを受けない他の端末が位置したセルの各々が、互いに異なるコードで識別された相異する群特異的情報を該当セルに位置した端末に転送することを含む。
【００１２】
本発明の他の実施形態によるマルチアンテナ送受信システムは、２つ以上の基地局と送受信できる協調型マルチアンテナサービスを受ける端末が位置したセルと上記協調型マルチアンテナサービスを受けない他の端末が位置したセルを区分し、上記協調型マルチアンテナサービスを受けない他の端末の群特異的情報と互いに異なるコードで区別された相異する群特異的情報を上記協調型マルチアンテナサービスを受ける端末に転送するサービング基地局と、上記相異する群特異的情報によって定まる特定サブフレームで、予め定まった帯域を通じてアップリンク基準信号を上記サービング基地局に転送する上記協調型マルチアンテナサービスを受ける端末を含む。
【００１３】
本発明の他の実施形態によるユーザ端末の群特異的情報の受信方法は、マルチアンテナ送受信システムにおけるユーザ端末が基地局の群特異的情報を受信する方法であって、２つ以上の基地局と送受信できる協調型マルチアンテナサービスを受ける第１ユーザ端末が基地局から群特異的情報を受信すること、及び上記第１ユーザ端末が上記群特異的情報を用いてアップリンク基準信号を生成して送信することを含み、上記第１ユーザ端末が受信した上記群特異的情報は、上記協調型マルチアンテナサービスを受けない第２ユーザ端末が受信する情報と区別されることを特徴とする。
【００１４】
本発明の更に他の実施形態による協調型マルチアンテナ送受信システムにおけるパラメータの転送方法は、多数のユーザ端末とデータを送受信する第１基地局によってパラメータを送信する方法であって、上記第１基地局とデータを送受信する第１ユーザ端末が送信する基準信号の生成に必要とする第１パラメータを上記第１基地局が上記第１ユーザ端末に送信すること、上記第１基地局及び第２基地局とデータを送受信する第２ユーザ端末が送信する基準信号の生成に必要とする第２パラメータを上記第１基地局が上記第２ユーザ端末に送信すること、上記第１パラメータに基づいて生成された第１基準信号を上記第１基地局が上記第１ユーザ端末から受信すること、及び上記第２パラメータに基づいて生成され、上記第１基準信号と相異する第２基準信号を上記第１基地局が上記第２ユーザ端末から受信することを含む。
【００１５】
本発明の更に他の実施形態による協調型マルチアンテナ送受信システムにおける基準信号を送信する方法は、１つ以上の基地局からデータの送受信を受けるユーザ端末によって基準信号を送信する方法であって、第１基地局が基準信号の生成に必要とする第１パラメータを上記第１基地局から受信すること、上記第１パラメータに基づいて生成された第１基準信号を生成して送信すること、上記第１基地局及び第２基地局からデータを送受信するために、上記第１パラメータと相異する第２パラメータを上記第１基地局または上記第２基地局から受信すること、及び上記第２パラメータに基づいて生成された第２基準信号を送信すること、を含む。
【００１６】
本発明の更に他の実施形態による協調型マルチアンテナ送受信システムにおける基準信号を送信する方法は、基準信号の生成に必要とする第１パラメータを第１基地局または第２基地局から受信すること、上記第１パラメータに基づいて生成された第１基準信号を生成して送信すること、上記第１基地局及び上記第２基地局とデータを送受信すること、上記第１基地局から上記第１パラメータと相異する第２パラメータを受信すること、及び上記第２パラメータに基づいて第２基準信号を生成して送信することを含む。
【００１７】
本発明の更に他の実施形態による協調型マルチアンテナ送受信システムにおけるパラメータの転送方法は、第１ユーザ端末及び第２ユーザ端末が送信する基準信号の生成に必要とする第１パラメータを第１基地局が上記第１ユーザ端末及び上記第２ユーザ端末に送信すること、上記第１ユーザ端末が協調型マルチアンテナ送受信サービスを受けることを上記第１基地局が感知すること、第２ユーザ端末が送信する基準信号の生成に必要とされる第２パラメータを第１基地局が上記第２ユーザ端末に送信すること、上記第１パラメータに基づいて生成された第１基準信号を第１基地局が上記第１ユーザ端末から受信すること、及び上記第２パラメータに基づいて生成され、上記第１基準信号と相異する第２基準信号を上記第１基地局が上記第２ユーザ端末から受信することを含む。
【発明の効果】
【００１８】
本発明によれば、既存のアップリンク基準信号転送方式を最大限多くの修正無しで具現することができ、かつ、性能の低下を起こらない長所がある。
【図面の簡単な説明】
【００１９】
【図１】本発明の実施形態が適用される無線通信システムを示すブロック図である。
【図２】マルチポイント協力型送受信システムの概要図である。
【図３】無線通信システムにおけるアップリンク基準信号を含むサブフレームの構造図である。
【図４】２つのセルに対してＳＲＳを転送するために異なるサブフレームを使用して、時間軸上において互いに隣接する２つのセルの間では同一時間に前記ＳＲＳが転送されないようにする時分割方式の概念図である。
【図５】マルチポイント協力型送受信システムにおけるＳＲＳを転送するシステム構成図である。
【図６】マルチポイント協力型送受信システムにおけるバーチャルセルを用いてＳＲＳを転送するシステム構成図である。
【図７】一般端末と協調型マルチアンテナ送受信サービスを受ける端末とを区分して管理するリストの例示図である。
【発明を実施するための形態】
【００２０】
前述及び他の本発明の目的、特徴及び利点は、添付図面と併せると、以下の詳細な説明から更に明確になる。
【００２１】
以下、本発明の一部の実施形態を添付した図面を参照しつつ詳細に説明する。各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００２２】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。どの構成要素が他の構成要素に“連結”、“結合”、または“接続”されると記載された場合、その構成要素はその他の構成要素に直接的に連結、または接続できるが、各構成要素の間に更に他の構成要素が“連結”、“結合”、または“接続”されることもできると理解されるべきである。
【００２３】
図１は、本発明の実施形態が適用される無線通信システムを示すブロック図である。
【００２４】
無線通信システムは、音声、パケットデータなどの多様な通信サービスを提供するために広く配置される。
【００２５】
図１を参照すると、無線通信システムは、端末１０（User Equipment；ＵＥ）及び基地局２０（Base Station；ＢＳ）を含む。端末１０と基地局２０は、下記に説明する多様な電力割当方法を使用する。
【００２６】
本明細書での端末１０は、無線通信でのユーザ端末を意味する包括的な概念であって、ＷＣＤＭＡ、ＬＴＥ、及びＨＳＰＡでのＵＥ（User Equipment）は勿論、ＧＳＭ（登録商標）でのＭＳ（Mobile Station）、ＵＴ（User Terminal）、ＳＳ（Subscriber Station）、無線機器（wireless device）を全て含む概念として解釈されるべきである。
【００２７】
基地局２０またはセル（cell）は、一般的に端末１０と通信する固定された地点（fixed station）をいい、ノード−Ｂ（Node-B）、ｅＮＢ（evolved Node-B）、ＢＴＳ（Base Transceiver System）、アクセスポイント（AccessPoint）等、他の用語と呼ぶことができる。
【００２８】
即ち、本明細書で基地局２０またはセル（cell）は、ＣＤＭＡでのＢＳＣ（Base Station Controller）、ＷＣＤＭＡのＮｏｄｅＢなどがカバーする一部領域を表す包括的な概念を有するとして解釈されなければならず、メガセル、マクロセル、マイクロセル、ピコセル及びフェムトセルの通信範囲を含む多様なカバレッジ領域を全て包括する意味である。
【００２９】
本明細書において、端末１０と基地局２０は、本明細書で記述する技術または技術的思想の具現に使われる送受信主体に相当する包括的な意味を有するものとして使用され、特定的に指称される用語または単語により限定されない。
【００３０】
無線通信システムに適用される多元接続方式には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡ等の多様な多元接続方式を使用することができる。
【００３１】
アップリンク転送及びダウンリンク転送は、互いに異なる時間を使用して転送が行われるＴＤＤ（Time Division Duplex）方式、または互いに異なる周波数を使用して転送が行われるＦＤＤ（Frequency Division Duplex）方式を利用しても良い。
【００３２】
本発明の一実施形態による電力割当技術（power allocation）は、ＧＳＭ（登録商標）、ＷＣＤＭＡ、ＨＳＰＡを介してＬＴＥ（Long Term Evolution）及びＬＴＥ−advancedに進化する非同期無線通信と、ＣＤＭＡ、ＣＤＭＡ−２０００、及びＵＭＢに進化する同期式無線通信の資源割当に適用できる。
【００３３】
以下、本発明は特定の無線通信分野に限定または制限されて解釈されてはならず、本発明の技術的思想が適用できる全ての技術分野を含むことと解釈されるべきである。
【００３４】
現在論議されているbeyond ３Ｇ通信技術において、端末は、既存の２Ｇシステムで使用していたパイロット（pilot）と類似な基準信号（reference signal）をアップリンクに送出して、アップリンクチャンネル情報を基地局に伝達している。上記基準信号は、周期、周波数バンド帯域幅、開始位置、ホッピングパターンなど、多様なモードの中から動作に関して選択することができ、前記モードは、セル−特異的（Cell-specific）または端末−特異的（UE-specific）パラメータにより決定される。上記セル−特異的パラメータは、基地局間の区別のためのパラメータであり、端末−特異的パラメータは、ユーザ間の区別のためのパラメータである。
【００３５】
それらのうち、現在のＬＴＥに関して論議されているアップリンク基準信号の周波数帯域幅、周期、サブフレーム構造（subframe configuration）は、セル−特異的パラメータにより決まり、特定のセルに属した全ての端末は、同一のパラメータを受信し、受信されたセル−特異的パラメータにより決定されるモードで動作するようになる。
【００３６】
また、現在論議されているbeyond ３Ｇ通信技術にはマルチポイント協調型送受信システム（coordinated multi-point transmission/reception System；ＣｏＭＰ）または協調型マルチアンテナ転送方式（coordinated multi-antenna transmission system）がある。マルチポイント協調型送受信システムでは、複数の基地局は、１つのユーザに協力型送受信サービスを試みる時、同一な周波数資源を同時に割り当ててサービスを行なう。
【００３７】
このようなマルチポイント協力型送受信システムにおいて、基地局と端末は、協調型データを送受信する時、同一時間に割り当てられた同一周波数資源を使用する。即ち、同一時間に協調型基地局として選択された複数の基地局は、同一の周波数資源を使用して１ユーザにデータを送受信する。
【００３８】
このような通信方式を使用する端末は、セル間の境界地域に配置された端末であるために、セルの中心領域に配置された端末に比べて信号強度が弱い端末である場合がある。更に、このような端末は、他の基地局に比較的近くに配置されており、複数個の基地局から信号を受けることもある。複数の基地局が協調的な方法で信号をこのような端末に転送して、端末が単一の基地局から信号を受ける既存の方法で得られる性能よりも良い性能を得ることができる。
【００３９】
図２は、マルチポイント協調型送受信システムの概要図である。
【００４０】
図２を参照すると、マルチポイント協力型送受信システムでは、１端末が１つの基地局に連結されて前記基地局とデータを送受信していた技術から進歩して、１つ以上の基地局と協調的な方法でデータを送受信して、より高いデータ効率及びより良い品質のサービスを得ることができる。
【００４１】
図２を参照すると、１つの端末１０Ａは、２つ以上の基地局２０Ａ、２０Ｂに同時に連結されてサービスを受けることができ、或いは複数の基地局２０Ａ、２０Ｂの周期的に報告されたチャンネル状況に基づいて最も良いチャンネル状況を有する基地局と連結されて、その基地局からサービスを受けることもできる。
【００４２】
無線通信システムは、端末１０と基地局２０との間に中継または中継ノード３０Ａ、３０Ｂを有することができる。上記中継ノード３０Ａ、３０Ｂは、自身の物理的識別情報（ＩＤ）を有することができ、自身の同期チャンネルと基準シンボル、または基準信号を転送することができ、分離されたセルＩＤを持たず、ある新たなセルを生成することもできない。
【００４３】
また、他の１つの端末１０Ｂは、他の基地局２０Ｂと１つの中継３０Ａに同時に接続され、サービスを受けることができる。更に、他の１つの端末１０Ｃは、１つの基地局２０Ｃと２つ以上の中継３０Ｂ、３０Ｃと同時に接続されてサービスを受けることもできる。また、以下、本明細書で協力型中継３０Ａ、３０Ｂも一種の協調型基地局と見なす。
【００４４】
図２に図示した端末１０Ａ、１０Ｂ、１０Ｃと基地局２０Ａ、２０Ｂ、２０Ｃは、図１に図示した端末１０と基地局２０に対応する。したがって、本明細書では端末を区分する必要がある場合、端末は図面番号１０Ａ、１０Ｂ、１０Ｃと表示し、区分する必要がない場合、端末は図面番号１０と表示する。同一な趣旨により区分する必要がない場合、基地局は図面番号２０と表示する。同一な趣旨により区分する必要がない場合、中継は図面番号３０と表示する。
【００４５】
または、ビーム形成またはプリコーディング時、既存のシステムにおいてサービスを提供している基地局とのチャンネル状況のみを考慮してビーム形成またはプリコーディング値を設定していた間、マルチポイント協調型送受信システムにおいて周辺基地局とのチャンネル状況の推定値または干渉値を推定してビーム形成またはプリコーディング値を設定することができる。
【００４６】
マルチポイント協調型送受信システムにおける基地局２０と端末１０は、協調型データを送受信する時、同一時間に同一周波数資源の割当を受けて送受信用の周波数資源を利用する。即ち、同一時間に協調型基地局として選択された複数の基地局２０Ａ、２０Ｂは、同一の周波数資源によって１つの端末１０Ａにデータを送受信する。
【００４７】
したがって、協調型基地局として選択される基地局は、１つの端末に関連する一定の周波数バンドに対して良いチャンネル性能を有する基地局でなければならない。
【００４８】
端末１０は、各基地局２０が送信する基準信号を解析して各基地局２０のアンテナのそれぞれのチャンネル状況を把握することができる。各チャンネル状況を把握した後、その情報を直接または間接的に各基地局２０にフィードバックする。上記フィードバック情報を受けた基地局２０または上位階層は、良いチャンネル性能を示す基地局（例えば、図２の２０Ａ、２０Ｂ）を選択して協調型基地局セットを形成し、協調型基地局セットに含まれた基地局は、協調型送受信を開始する。
【００４９】
図３は、無線通信システムにおけるアップリンク基準信号を含むサブフレームの構造図である。
【００５０】
図３を参照すると、サブフレームに割り当てられる基準信号は、ＤＲＳ（Demodulation Reference Signal）及びＳＲＳ（Sounding reference Signal）を含むことができる。ＳＲＳは無線通信システムにおける端末がアップリンク（uplink）チャンネル情報を基地局に伝達するためのアップリンク基準信号の一種である。
【００５１】
このようなＳＲＳは、各端末が使用する帯域だけでなく、端末が使用する可能性がある帯域まで含む全帯域に関するアップリンクチャンネル情報を基地局に伝達することが要求される。即ち、端末はサブキャリア全帯域に亘ってＳＲＳを基地局に転送しなければならない。
【００５２】
図３に図示したように、ＳＲＳは１つのサブフレーム毎に一回ずつ転送することもでき、セル−特異的パラメータによりＮサブフレーム毎に一回ずつまたはＮサブフレーム毎にｋ回ずつ転送することができる。ＳＲＳの頻繁な送信は、アップリンクチャンネルに関する情報をより早く得るために、チャンネルの状態が必要な限り早く変わる環境ということを意味することもある。反対に、ＳＲＳを時たまにだけ送るということは、大きなチャンネルの変化が無く、頻繁なＳＲＳの送信を必要としないことを意味する。
【００５３】
図４は、２つのセルに対してＳＲＳを転送するための異なるサブフレームを用いて、時間軸上互いに隣接するセルの間でＳＲＳが同一時間に転送されないようにする時分割方式の概念図である。図４に図示した端末ＵＥ１乃至ＵＥ５及びＣｅｌｌ Ａ乃至Ｃは、図２に図示した端末１０Ａ、１０Ｂ、１０Ｃと基地局２０Ａ、２０Ｂ、２０Ｃに各々対応する。
【００５４】
図４を参照すると、隣接セル間で時分割されたＳＲＳは、Ｃｅｌｌ ＡがＳＲＳを送るサブフレームの位置においてＣｅｌｌ Ｂは何らの信号を転送せず、Ｃｅｌｌ ＢがＳＲＳを送る位置においてＣｅｌｌ Ａは何らの信号を送らないことで、隣接セル間で互いに干渉を与えない。
【００５５】
一方、図５に図示した端末ＵＥ１乃至ＵＥ５、及びＣｅｌｌ Ａ乃至Ｃは、図２に図示した端末１０Ａ、１０Ｂ、１０Ｃと基地局２０Ａ、２０Ｂ、２０Ｃに各々対応することを一例とする。
【００５６】
本発明において、隣接セルの間で互いに干渉を与えずＳＲＳを転送する方式では、時分割方式の以外に周波数分割（Frequency division）方式とコード分割（Code division）方式が含まれる。ここで、上記周波数分割方式は、各端末が予め決められた全帯域を通じて基準信号を送出する一方、隣接セルが同一の周波数資源を使用して転送しないように、基準信号の転送用の周波数資源を適切に区分して、割り当てる方式である。そして、コード分割方式は、各々のコードにより基準信号を区分して隣接セル間に互いに干渉を与えない方式である。
【００５７】
図５は、マルチポイント協調型送受信システムにおけるＳＲＳを転送するシステム構成図である。
【００５８】
図５を参照すると、ＵＥ１のサービングセル（serving cell；３つの協調型基地局セットのうち、制御信号を送る基地局であり、制御信号の一実施形態はＰＤＣＣＨを含む制御信号である）をＣｅｌｌ Ａとする前提において、ＵＥ１はＣｅｌｌ Ａから転送される群特異的パラメータの受信を受けて、上記群特異的パラメータを考慮してアップリンク基準信号、例えばＳＲＳを転送する。この際、上記ＵＥ１だけでなく、上記Ｃｅｌｌ Ａに属している全ての端末（ＵＥ２及びＵＥ３）も、同一の群特異的パラメータの受信を受けるので、上記Ｃｅｌｌ Ａの群特異的情報により定まる部分においては同一のアップリンク基準信号を転送するようになる。
【００５９】
ここで、上記群特異的（Group Specific）パラメータとは、ユーザ端末を所定のグループに分けて該当グループに対して所定のパラメータまたは所定のパラメータグループ内の値を割り当てることを意味する。同一のセル内の端末に１つのグループ内のパラメータを割り当てる場合、セルに対して１つの群特異的パラメータを設定することができる。また、ユーザ端末が同一のセル内にあるとしてもＣｏＭＰサービスを受けるユーザ端末に対して別途のグループを設定して別途の群特異的パラメータを設定することができる。
【００６０】
したがって、上記群特異的パラメータは、セル全体に共通に適用される場合にはセル−特異的であり、セル内の一部端末または端末の特性によって別々に適用される場合にはＵＥ−特異的である。
【００６１】
ここで、上記Ｃｅｌｌ ＢとＣｅｌｌ Ｃは、現在自身のセル内に属している端末の平均的な特性に合うように適切に設定された群特異的情報を送信することができる。必要であれば、Ｃｅｌｌ ＢとＣｅｌｌ Ｃは、Ｃｅｌｌ Ａと時間、周波数、またはコード資源が重ならない範囲内で最大限自身のセルに属している端末の性能の低下が最小になる群特異的情報を送信することもできる。
【００６２】
このような理由により、上記Ｃｅｌｌ Ａは、協調型マルチアンテナ送受信技法が適用されるユーザＵＥ１によって、隣接セルとの干渉を減らすことができる、即ち隣接セルの資源と重ならないように群特異的情報を下さなければならないので、群特異的情報の選定に相当な制限を有する。
【００６３】
このような制限は、協調型マルチアンテナ送受信サービスを受けない他の端末（ＵＥ２及びＵＥ３）の性能の低下をもたらすようになる。なぜならば、ＵＥ２、ＵＥ３は、ＵＥ１がなかった場合、前述した制限のない群特異的情報を受けてアップリンク基準信号を送ることができるためである。
【００６４】
より詳しくは、ＵＥ１は協調型マルチアンテナ送受信サービスを受けるユーザ端末であり、その他の端末（ＵＥ２、ＵＥ３、ＵＥ４、ＵＥ５）は、協調型マルチアンテナ送受信サービスを受けないユーザ端末である。ＵＥ２、ＵＥ３とデータを送受信する基地局を第１基地局とし、ＵＥ５がデータを送受信する基地局を第２基地局と仮定する。ＵＥ１は第１基地局及び第２基地局から協調型マルチアンテナ送受信サービスを受けると仮定する場合、ＵＥ１はＵＥ２、ＵＥ３、ＵＥ５の基準信号と相異する基準信号を送受信する必要がある。ここで、上記第１基地局及び上記第２基地局は、マルチポイント協調型送受信システムを構成する基地局に対応する。
【００６５】
したがって、ＵＥ１が相異する基準信号を送信できるように第１基地局または第２基地局は、ＵＥ２、ＵＥ３、ＵＥ５のパラメータと異なる、基準信号の生成に必要なパラメータをＵＥ１に割り当てることが必要である。
【００６６】
第１基地局とデータを送受信するＵＥ２、ＵＥ３が送信する基準信号の生成に必要とする第１パラメータを上記第１基地局がＵＥ２、ＵＥ３に送信する。更に、上記第１基地局及び第２基地局にデータを送受信するＵＥ１は、ＵＥ２、ＵＥ３の基準信号と相異する基準信号を生成できるように、上記第１基地局は上記ＵＥ１に上記第１パラメータと区別される第２パラメータを送信する。これは、図７に提示された実施形態を含む。そして、第１基地局は、上記第１パラメータにより生成された第１基準信号をＵＥ２、ＵＥ３から受信する。そして、第１基地局と第２基地局は、上記第２パラメータにより生成され、上記第１基準信号と相異する第２基準信号を上記ＵＥ１から受信する。
【００６７】
ＵＥ１がＵＥ２、ＵＥ３、ＵＥ５の基準信号と相異する基準信号を送信できるようにするため、上記第１基地局が上記第２基地局から上記第２パラメータの決定に必要とする情報を受信することができ、上記第１基地局が上記第２基地局にどのパラメータを第２パラメータに設定したかを知らせることができる。
【００６８】
この際、第２基地局は、ＵＥ５による基準信号の生成に必要とするパラメータ情報を第２パラメータの決定に必要とする情報として設定して、情報集合を提供することができる。この場合、第１基地局は、ＵＥ５が基準信号の生成に必要とするパラメータ情報を確認して、第２パラメータとしてＵＥ５と干渉しないパラメータを選択することができる。
【００６９】
互いに異なる第１パラメータと第２パラメータを使用した結果、上記第１基準信号と上記第２基準信号は、コード、周波数、時間のうち、少なくとも１つの異なる特徴を有し、ＵＥ１とＵＥ２、３、５は互いに干渉せず、基準信号を送信することができる。本明細書の一実施形態によれば、基地局は、上記第１パラメータと上記第２パラメータを各々互いに異なるコード資源グループに含まれるように設定することができる。上記第１基地局または上記第２基地局は中継で動作することができる。
【００７０】
ＵＥ１の立場から見ると、ｉ）ＵＥ１が第１基地局とデータを送受信する状態から協調型マルチアンテナ送受信サービスを受けるようになって、第１基地局、第２基地局とデータを送受信する状態になる場合、ＵＥ１は第１基地局に使用される基準信号の生成と異なる基準信号を生成して、前記基準信号を第１基地局、第２基地局に送信することができる。これは、ｉｉ）ＵＥ１が、協調型マルチアンテナ送受信技術を用いてデータを第１、第２基地局と送受信する状態から、第１基地局のみにデータを送受信する場合にも同様である。
【００７１】
まず、ｉ）の場合を見ると、次の通りである。
【００７２】
ＵＥ１が基準信号の生成に必要とする第１パラメータを上記第１基地局から受信して、上記第１パラメータを使用して第１基準信号を生成し、前記第１基準信号を送信する。そして、ＵＥ１が上記第１基地局及び第２基地局から協調型マルチアンテナ送受信サービスを受けるようになるので、ＵＥ１は上記第１パラメータと相異する第２パラメータを上記第１基地局または上記第２基地局から受信して、上記第２パラメータを使用して第２基準信号を生成して送信する。
【００７３】
逆に、ｉｉ）の場合を見ると、次の通りである。ＵＥ１は協調型マルチアンテナ送受信サービスを受けるようになるので、基準信号の生成に必要とする第１パラメータを第１基地局または第２基地局から受信して、上記第１パラメータを使用して生成された第１基準信号を生成して送信する。そして、協調型マルチアンテナ送受信サービスによって、ＵＥ１は、上記第１基地局及び上記第２基地局とデータを送受信するようになる。以後、ＵＥ１は協調型アンテナ送受信サービスを中断して、第１基地局のみにデータを送受信するようになる。このために、ＵＥ１は上記第１基地局から上記第１パラメータと相異する第２パラメータを受信して、上記第２パラメータを使用して第２基準信号を生成して送信する。
【００７４】
仮に、単一の基地局から同一の基準信号を受信するユーザ端末のうち、協調型マルチアンテナ送受信サービスを受けるユーザ端末が多い場合、協調型マルチアンテナ送受信サービスを受けないユーザ端末が基準信号の生成に必要とするパラメータを変更することができる。
【００７５】
簡単な例として、協調型マルチアンテナ送受信サービスを受けるユーザのために隣接セルと資源が重ならないようにするために、Ｃｅｌｌ−Ａの端末は、５番のサブフレームの間、最初のサブフレームのみにアップリンク基準信号を送ることができるように設定したという前提において、Ｃｅｌｌ Ａの内に位置した全ての端末ＵＥ１、ＵＥ２、ＵＥ３は、Ｃｅｌｌ−Ａにより設定された群特異的情報に従って、５番のサブフレーム毎に１回のアップリンク基準信号を送ることができる。
【００７６】
しかしながら、Ｃｅｌｌ Ｂ及びＣｅｌｌ Ｃの端末ＵＥ４、ＵＥ５は、各々５つのサブフレーム毎に、２、３番目、または３、４番目のサブフレームにアップリンク基準信号を割り当てる場合、Ｃｅｌｌ Ｂ、Ｃｅｌｌ Ｃの端末ＵＥ４、ＵＥ５は、Ｃｅｌｌ Ａの端末ＵＥ１、ＵＥ２、ＵＥ３の２倍の頻度でアップリンク基準信号を送ることができる。
【００７７】
これは、性能と直結する問題となり得る。このような例は、周波数またはコード資源を分割して使用する場合にも表れることがある。
【００７８】
要約すれば、既存のアップリンク基準信号は、隣接セル間の干渉を考慮する必要がなかった。しかしながら、協調型マルチアンテナ送受信システムの導入によって、１つの端末が同一の基準信号を隣接セルに同時に送ることが必要になり、隣接セル間の干渉を生じることがある。
【００７９】
このような問題を解決するために本発明は、隣接セル間の時間、周波数、またはコード資源の分割及び使用に関するスキームを提案し、該スキームは隣接セル間に互いの間の干渉を減らすことができる。
【００８０】
前述した改善された（enhanced）基準信号転送方式は、協調型マルチアンテナ送受信技法の適用を受けるユーザにとって利得を生み出すことができるが、同一セルに存在する他のユーザには性能の低下を起こす場合がある。このような問題を解消するために、協調型マルチアンテナ送受信技法の適用を受ける端末と前記技法の適用を受けない端末とを区分するスキームを以下に説明する。
【００８１】
図６は、本発明によるマルチポイント協調型送受信システムにおける協調型送受信サービスを支援するセルを用いてＳＲＳを転送するシステム構成図である。ここで、図６に図示した協調型マルチアンテナ送受信システムは、前述した図５に図示した協調型マルチアンテナ送受信システムとほぼ同一である。
【００８２】
但し、図６に図示した協調型マルチアンテナ送受信システムは、物理的には全く区分されないセルであり、群特異的パラメータを区分して転送するために単に特定される１つの論理的なセルである一種の仮想的なセルを含み得る点で、図５に図示した協調型マルチアンテナ送受信システムと動作の側面において異なることがあるが、システムという側面において同一である。
【００８３】
より詳しくは、Ｃｅｌｌ Ａは、ＵＥ１に協調型マルチアンテナ送受信サービスを支援するために、Ｃｅｌｌ Ａ、Ｂ、及びＣを協調型セットとして設定することができる。即ち、上記端末から各基地局により転送された信号に関するフィードバック情報を受信して、Ｃｅｌｌ Ａは、Ｃｅｌｌ Ａ、Ｃｅｌｌ Ｂ、及びＣｅｌｌ Ｃを１つの協調型セットとして設定する。または、良いチャンネル性能を見せている基地局が上位階層により選択されて形成された協調型基地局セット情報をＣｅｌｌ Ａは受信して、前記の協調型基地局セット情報に基づき、Ｃｅｌｌ Ａは、Ｃｅｌｌ Ａ、Ｃｅｌｌ Ｂ、及びＣｅｌｌ Ｃを１つの協調型セットとして設定することもできる。図７は、本発明により、一般端末と協調型マルチアンテナ送受信サービスを受ける端末とを区分するリストの一例を図示している。
【００８４】
図７を参照すると、Ｃｅｌｌ Ａは、ＵＥ１を既存の端末ＵＥ２、ＵＥ３と分離してＵＥ１を協調型マルチアンテナサービスを受ける端末として特定してリストを生成する（７２０）。
【００８５】
Ｃｅｌｌ Ａは、相互間で互いに資源が重なることを防ぎつつアップリンク基準信号を送信できるように、隣接セル（Ｂ及びＣ）と情報を交換することによって、ＵＥ１のための、または協調型サービスを受けるユーザのための群特異的パラメータ｛ａ'１，ａ'２，ａ'３，．．．｝を生成する。上記ＵＥ１のためのまたは協調型サービスを受けるユーザのための群特異的パラメータ｛ａ'１，ａ'２，ａ'３，．．．｝（７２０）は、協調型マルチアンテナ送受信サービスを提供するセルに割り当てられて該当端末（ＵＥ１）に転送される群特異的パラメータのセットである。上記協調型マルチアンテナ送受信サービスを受けるユーザのためのパラメータ集合（７２０）は、Ｃｅｌｌ Ａの既存パラメータ集合｛ａ１，ａ２，ａ３，．．．｝と同一、または相異していても良い。以後、Ｃｅｌｌ Ａは、新しく生成されたパラメータ集合（７２０）をＵＥ１に転送する。
【００８６】
一方、Ｃｅｌｌ Ａは、残りの端末（ＵＥ２、ＵＥ３）に既存の群特異的パラメータセット｛ａ１，ａ２，ａ３，．．．｝（７１０）を転送、または前記群特異的パラメータセットを一部修正して転送する。即ち、残りの端末（ＵＥ２、ＵＥ３）に転送される既存の群特異的パラメータセット｛ａ１，ａ２，ａ３，．．．｝（７１０）は、Ｃｅｌｌ Ａのサービス領域内のみに存在する該当ユーザに転送される群特異的パラメータからなるパラメータセットである。
【００８７】
以後、上記Ｃｅｌｌ Ａから協調型マルチアンテナ送受信サービスを受けるユーザのための群特異的情報（７２０）を受けたＵＥ１は、即ち、協調型マルチアンテナ送受信サービス領域内に存在するＵＥ１は、上記受信された群特異的情報（７２０）に従ってアップリンク基準信号を転送する。ここに、ＵＥ１から送信されたアップリンク基準信号は、上記Ｃｅｌｌ Ａだけでなく、同一の協調型マルチアンテナ送受信サービスを支援するＣｅｌｌ Ｂ、及びＣでも受信されて処理される。
【００８８】
一方、Ｃｅｌｌ Ｂ及びＣｅｌｌ Ｃから群特異的パラメータ｛ｂ１，ｂ２，ｂ３，．．．｝（７３０）及び｛ｃ１，ｃ２，ｃ３，．．．｝（７４０）を受けたＵＥ４及びＵＥ５は、該当セルから受信された群特異的パラメータに従って、各々アップリンク基準信号を転送する。
言い換えると、Ｃｅｌｌ Ａ、及びＢ、Ｃの各サービス領域に属していた該当端末は、大きい変化無しに既存のアップリンク基準信号の伝送方式に従って、アップリンク基準信号を転送する。一方、本発明により協調型マルチアンテナ送受信サービスを受けるＵＥ１は、協調型マルチアンテナ送受信サービスのための専用セル内に位置したものと見なされ、新しく構成された群特異的情報に従ってアップリンク基準信号を送信するようになる。
【００８９】
本発明の一例によって、上記群特異的パラメータは、アップリンク基準信号を転送するための、周波数情報（一例に、周波数帯域幅）、周期、サブフレーム構成（subframe configuration）などを含むことができる。本発明は、前述した情報に制限されない。本発明の一例によって、協調型マルチアンテナ送受信サービスを受ける端末とそうでない端末が相異するパラメータを送信することを可能にする。例えば、基準信号が周波数分割、時分割、コード分割されて、前記基準信号間の干渉無しで送信できるようにする。勿論、前記基準信号は、図７で説明したようにグルーピングもできる。
【００９０】
上記群特異的パラメータは、端末によるアップリンク基準信号の生成に必要なパラメータであって、アップリンク基準信号は周波数分割、時分割、コード分割されて、相互間の干渉無しで送信することができる。ここで、２つ以上の基地局のサービス領域が重畳する領域（セル）に位置したＵＥは、本発明によって協調型マルチアンテナ送受信のための特別なセルの端末と判断され、前記端末は、協調型マルチアンテナサービスのための独立的な群特異的パラメータの受信を受けるようになる。即ち、上記群特異的パラメータは、セル全体に共通に適用される場合においてセル−特異的であり、セル内の一部端末または端末の特性によってそれぞれ端末に適用される場合にはＵＥ−特異的であるということができる。
【００９１】
例えば、Ｃｅｌｌ Ａ、及びＢ、Ｃに属していた端末（ＵＥ１乃至ＵＥ５）が全て協調型マルチアンテナ送受信サービスを受けない場合、Ｃｅｌｌ Ａ、Ｂ、及びＣは、それぞれ、Ｃｅｌｌ Ａ、Ｂ、Ｃに属していた端末（ＵＥ１乃至ＵＥ５）を一般端末に区分してリストを生成する。そして、Ｃｅｌｌ Ａ、及びＢ、Ｃの各々のセルは、各セル自身によって生成された群特異的パラメータを自身のサービス領域における該当端末（ＵＥ１乃至ＵＥ５のうちの１つ以上）に下す。上記Ｃｅｌｌ Ａ、及びＢ、Ｃから群特異的パラメータを受けた端末（ＵＥ１乃至ＵＥ５のうちの１つ以上）は、受信した該当群特異的パラメータに従ってアップリンク基準信号を転送する。
【００９２】
より詳しくは、群特異的パラメータがアップリンク基準信号の周期を含む場合を一例として挙げる。
【００９３】
この際、Ｃｅｌｌ Ａに属する端末（ＵＥ１、ＵＥ２、ＵＥ３）は、５個のサブフレーム毎に１、２番目のサブフレームにアップリンク基準信号を各々割り当ててＣｅｌｌ Ａに前記基準信号を転送し、Ｃｅｌｌ Ｂ及びＣｅｌｌ Ｃの端末（ＵＥ４、ＵＥ５）は、各々５個のサブフレームのうちの２、３番目、或いは３、４番目のサブフレームにアップリンク基準信号を各々割り当てて前記基準信号をＣｅｌｌ Ｂ及びＣｅｌｌ Ｃに転送する。
【００９４】
その後、Ｃｅｌｌ Ａに属する端末ＵＥ１が、図６に図示した通り、協調型マルチアンテナ送受信サービスを受けるようになる場合、即ち、ＵＥ１がＣｅｌｌ Ａのサービス領域から上記Ｃｅｌｌ Ａと上記Ｃｅｌｌ Ｂ及びＣｅｌｌ Ｃのサービスを支援可能な領域に移動した場合、端末ＵＥ１が５個のサブフレーム毎に１、２番目のサブフレームを通じてアップリンク基準信号を転送すれば、Ｃｅｌｌ Ｂに属し、２番目のサブフレームにアップリンク基準信号を転送する端末（ＵＥ４）のアップリンク基準信号との干渉が生じることがある。
【００９５】
したがって、Ｃｅｌｌ Ａは、Ｃｅｌｌ Ａに属する全ての端末（ＵＥ１及びＵＥ２、ＵＥ３）が他の基地局の端末と干渉を引き起こすことを防ぎ、アップリンク基準信号の周期を端末ＵＥ１に送信する。すなわち、Ｃｅｌｌ Ａは、端末ＵＥ１のみを協調型マルチアンテナ送受信リストに生成し、他の基地局の端末との干渉を防止することが可能な群特異的パラメータ、即ち、５個のサブフレーム毎の最初のサブフレームにおけるアップリンク基準信号の転送を示すアップリンク基準信号の周期を、端末ＵＥ１に送信する。
【００９６】
この際、Ｃｅｌｌ Ａは、上記ＵＥ１が使用するパラメータを、該パラメータの決定に必要とする情報を他の基地局から受信してパラメータを決定し、決定したパラメータの値をまた他の基地局に送信することができる。
【００９７】
したがって、ＵＥ１は、Ｃｅｌｌ Ａ及びＢ、ＣにＳＲＳを干渉無しでアップリンク基準信号を転送することができる。
【００９８】
一方、前述した方式と反対に、ＵＥ１に新しく定義された群特異的パラメータを送信する代わりに、ＵＥ２及びＵＥ３に新しく定義された群特異的パラメータを転送することもできる。即ち、Ｃｅｌｌ Ａ、Ｃｅｌｌ Ｂ、及びＣｅｌｌ Ｃが協調型マルチアンテナ送受信サービスを受けるために区分されたアップリンク基準信号を転送している状況において、ＵＥ１は大きく変化すること無く、アップリンク基準信号を送信することができる。この際、Ｃｅｌｌ Ａに属しているユーザＵＥ２及びＵＥ３のアップリンク基準信号転送方式を変更することを所望する時は、ＵＥ１に新しく定義された群特異的パラメータを送るのでは無く、ＵＥ２及びＵＥ３に新しく定義された群特異的パラメータを転送することによって、ＵＥ２及びＵＥ３の性能の向上を図ることができる。
【００９９】
前述した実施形態は、協調型マルチアンテナ送受信システムにおけるアップリンク基準信号を送信する際に、隣接セルとの干渉を除去するために、周波数、時間、またはコード資源を分割して使用する場合、協調型マルチアンテナサービスを受けない他のユーザ端末の性能の低下を起こらないように、協調型マルチアンテナ送受信サービスを受ける端末とそうでない一般ユーザ端末を区別する一方、基地局が群特異的情報を転送する方法を説明している。
【０１００】
この実施形態は、性能を低下させること無く、既存のアップリンク基準信号転送方式を最小限の修正で具現できる長所がある。
【０１０１】
以上、図面を参照して実施形態を説明したが本発明はこれに制限されない。上記の実施形態で協調型マルチアンテナサービスを受ける端末とそうでない端末に転送される互いに異なる群特異的情報に、アップリンク基準信号を例に挙げて説明したが、本発明はこれに制限されない。
【０１０２】
本特許出願は、２００９年８月１８日付で韓国に出願した特許出願番号第１０−２００９−００７６４４５号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても上記と同一な理由により優先権を主張すれば、その全ての内容は参考文献として本特許出願に併合される。
【図１】
2013502806.tif 000003
【図２】
2013502806.tif 000004
【図３】
2013502806.tif 000005
【図４】
2013502806.tif 000006
【図５】
2013502806.tif 000007
【図６】
2013502806.tif 000008
【図７】
2013502806.tif 000009
【国際調査報告】
2013502806.tif 000010
2013502806.tif 000011
2013502806.tif 000012
2013502806.tif 000013